(57)【特許請求の範囲】
【請求項１】
ひだ状に折りたたまれ不透水性の材料からなる外包外側シートとひだ状に折りたたまれ透水性の不織布からなる外包内側シートの外縁部を接合して形成された外包と、
上記外包の内部に収容された吸水体と、
上記外包の内部に収容され、上記吸水体を内部に収容する内包と、
上記外包内側シートの山折りの折り目の端部を覆う折り目覆いシートを備え、
上記外包と上記内包は上記外包の中央部で接合されることを特徴とする母乳パッド。
【請求項２】
ひだ状に折りたたまれ不透水性の材料からなる外包外側シートとひだ状に折りたたまれ透水性の不織布からなる外包内側シートの外縁部を接合して形成された外包と、
上記外包の内部に収容された吸水体と、
上記外包の内部に収容され、上記吸水体を内部に収容する内包と、
上記外包内側シートの山折り及び谷折りの折り目の端部を覆うクッション材を備え、
上記外包と上記内包は上記外包の中央部で接合されることを特徴とする母乳パッド。
【請求項３】
ひだ状に折りたたまれ不透水性の材料からなる外包外側シートとひだ状に折りたたまれ透水性の不織布からなる外包内側シートの外縁部を接合して形成された外包と、
上記外包の内部に収容された吸水体と、
上記外包の内部に収容され、上記吸水体を内部に収容する内包を備え、
上記外包と上記内包は上記外包の中央部で接合され、
上記外包は、上記母乳パッドを乳房に装着した状態で、上側に比べて下側が広い台形形状であり、上記外包外側シートと上記外包内側シートの折り目が略上下方向に設けられることを特徴とする母乳パッド。
【請求項４】
上記内包と上記吸収体の間に設けられ上記吸収体の上記外包外側シート側の面を覆う防水紙と、
上記内包と上記吸収体の間に設けられ上記吸水体の上記外包内側シート側の面を覆う被覆不織布を備えることを特徴とする請求項１ないし請求項３のいずれか１項に記載の母乳パッド。
【請求項５】
上記吸水体は、その外周部に上記防水紙と上記被覆不織布とが熱圧着されたシール部を備えることを特徴とする請求項４に記載の母乳パッド。
【請求項６】
上記吸水体は外縁部に切り欠きを備えることを特徴とする請求項１ないし請求項５のいずれか１項に記載の母乳パッド。
【請求項７】
上記吸水体は外縁部に切り欠きを備え、
上記防水紙と上記被覆不織布は、それぞれ、外縁部に切り欠きを備えることを特徴とする請求項４に記載の母乳パッド。
【請求項８】
上下方向に伸び一端が上記外包の上部に固定され、上記外包から突出した部分の任意の箇所で下着に固定可能な取付テープを備えることを特徴とする請求項１ないし請求項７のいずれか１項に記載の母乳パッド。
【請求項９】
上記外包外側シートと上記吸水体との間に配置され上記吸水体を上記外包外側シートに固定する固定用シートを備える請求項１または請求項２に記載の母乳パッド。
【請求項１０】
上記母乳パッドを乳房に装着した状態での上記外包の上側の外周部に配置された形状保持部材を備えることを特徴とする請求項１ないし請求項９のいずれか１項に記載の母乳パッド。
【請求項１１】
上記母乳パッドを乳房に装着した状態で上記外包内側シートの乳頭に当接する部分に折り目が配置されていないことを特徴とする請求項１ないし請求項１０のいずれか１項に記載の母乳パッド。
【請求項１２】
ひだ状に折りたたまれ不透水性の材料からなる外包外側シートとひだ状に折りたたまれ透水性の不織布からなる外包内側シートの外縁部を接合して形成された外包と、上記外包の内部に収容された吸水体と、上記外包の内部に収容され上記吸水体を内部に収容する内包と、上記外包内側シートの山折りの折り目の端部を覆う折り目覆いシートをそれぞれ備え、上記外包と上記内包は上記外包の中央部で接合される第１の母乳パッド及び第２の母乳パッドと、
一端が上記第１の母乳パッドに着脱可能に取り付けられ、他端が上記第２の母乳パッドに着脱可能に取り付けられ、上記第１の母乳パッドと上記第２の母乳パッドを接続する接続ベルトと、
一端が上記第１の母乳パッドに着脱可能に取り付けられ、他端が上記第２の母乳パッドに着脱可能に取り付けられ、使用者の胸部に巻き回されるベルトと、
一端が上記第１の母乳パッドに着脱可能に取り付けられ、他端が上記ベルトに固定され、上記第１の母乳パッドと上記ベルトをつり下げる第１のストラップと、
一端が上記第２の母乳パッドに着脱可能に取り付けられ、他端が上記ベルトに固定され、上記第２の母乳パッドと上記ベルトをつり下げる第２のストラップとを備えたベルト付き母乳パッド。
【請求項１３】
上記接続ベルトは両端部に設けられた面ファスナーにより上記外包内側シートに取り付けられ、
上記ベルトは両端部に設けられた面ファスナーにより上記外包内側シートに取り付けられ、
上記第１のストラップは一端に設けられた面ファスナーにより上記外包内側シートに取り付けられ、
上記第２のストラップは一端に設けられた面ファスナーにより上記外包内側シートに取り付けられることを特徴とする請求項１２に記載のベルト付き母乳パッド。
【請求項１４】
ひだ状に折りたたまれ不透水性の材料からなる外包外側シートとひだ状に折りたたまれ透水性の不織布からなる外包内側シートの外縁部を接合して形成された外包と、上記外包の内部に収容された吸水体と、上記外包の内部に収容され上記吸水体を内部に収容する内包と、上記外包内側シートの山折りの折り目の端部を覆う折り目覆いシートをそれぞれ備え、上記外包と、上記内包は上記外包の中央部で接合される第１の母乳パッド及び第２の母乳パッドと、
一端が上記第１の母乳パッドに固定され、他端が上記第２の母乳パッドに固定され、上記第１の母乳パッドと上記第２の母乳パッドを接続する接続ベルトと、
一端が上記第１の母乳パッドに固定され、他端に接続部を備えた第１のベルトと、
一端が上記第２の母乳パッドに固定され、他端に接続部を備えた第２のベルトと、
を備え、
上記第１のベルトの接続部と上記第２のベルトの接続部とが着脱可能に接続されることにより上記第１のベルトと上記第２のベルトが使用者の胸部に巻き回されるベルト付き母乳パッド。
【発明の詳細な説明】
【技術分野】
【０００１】
本発明は、産婦等により用いられ乳房から滲み出る母乳を吸収して保水する母乳パッド及びベルト付き母乳パッドに関する。
【背景技術】
【０００２】
母乳パッドは、一般に不織布等を素材とした透水性を有する内面シート体と、合成樹脂フィルムや撥水処理を施した不織布等を素材とした不透水性を有する外面シート体と、高吸水性のポリマー等を素材とする吸水コア体を積層した積層体を素材に形成される。
【０００３】
特許文献１には、内面シート体、第１ティッシュ紙、介挿シート体、吸水コア体、第２ティッシュ紙、外面シート体の順に重ね合わせた積層素材を素材として形成された母乳パッドが記載されている（特許文献１の段落００１７、図２）。この母乳パッドは、乳房にフィットするように椀状の立体的な形状に成形されている。
【０００４】
特許文献２には、スリーブの内部に取り付けられた弾性伸縮部材を備える母乳パッドが記載されている。弾性伸縮部材は、引張り力を与えられた状態でスリーブに固定され、この弾性伸縮部材の収縮力を利用して母乳パッドが椀状となるように構成されている（特許文献２の段落００３５、００３６、図２）。
【先行技術文献】
【特許文献】
【０００５】
【特許文献１】特開２００８−２９７６４４号公報
【特許文献２】特開２００８−２５５５３９号公報
【発明の概要】
【発明が解決しようとする課題】
【０００６】
特許文献１に記載の母乳パッドのように、積層体を腕状に成形するためには、成形型等を用いる必要があり、そのため、加工に時間が多くかかり材料のロスも多くなるという問題がある。また、あらかじめ立体的に形成しておくと、母乳パッドの厚さが大きくなり、包装材が多く必要となり、保管スペースも多く必要となるという問題がある。
【０００７】
特許文献２に記載の母乳パッドでは、弾性伸縮部材が肌に当たり使用者に違和感を与えるという問題がある。
【０００８】
そこで、本発明は、加工が簡単であり、未使用時の厚さが薄く、使用感のよい母乳パッドを提供することを目的とする。
【課題を解決するための手段】
【０００９】
前述した課題を解決するために、本発明の母乳パッドは、ひだ状に折りたたまれ不透水性の材料からなる外包外側シートとひだ状に折りたたまれ透水性の不織布からなる外包内側シートの外縁部を接合して形成された外包と、外包の内部に収容された吸水体と、外包の内部に収容され、吸水体を内部に収容する内包と、外包内側シートの山折りの折り目の端部を覆う折り目覆いシートを備え、外包と内包は外包の中央部で接合されることを特徴とする。
【発明の効果】
【００１０】
本発明の母乳パッドは、外包外側シートと外包内側シートにより構成された外包を備え、外包外側シートと外包内側シートは、折りたたまれた状態となっているから、母乳パッドを椀状にするために成形型等による加工が不要である。また、あらかじめ立体成型した場合に比べて、未使用時の厚さを薄くすることができる。また、母乳パッドを使用時に椀状に変形させるために、ゴム等の使用感を悪化させる部材を使用する必要がない。そのため、本発明によれば、加工が簡単であり、未使用時の厚さが薄く、使用感のよい母乳パッドを提供することができる。
【図面の簡単な説明】
【００１１】
【図１】図１は、本発明の第１の実施形態である母乳パッドの断面図である。
【図２】図２は、母乳パッドの外面の形状を示す図である。
【図３】図３は、母乳パッドの内面の形状を示す図である。
【図４】図４は、内包シートの形状を示す図である。
【図５】図５は、防水紙と不織布の形状を示す図である。
【図６】図６は、吸水体の形状を示す図である。
【図７】図７は、乳房と下着の間に装着した状態の母乳パッドの断面図である。
【図８】図８は、本発明の第２の実施形態である母乳パッドの外面の形状を示す図である。
【図９】図９は、本発明の第３の実施形態である母乳パッドの外面の形状を示す図である。
【図１０】図１０は、第３の実施形態の母乳パッドの内面の形状を示す図である。
【図１１】図１１は、本発明の第４の実施形態である母乳パッドの外面の形状を示す図である。
【図１２】図１２は、第４の実施形態の母乳パッドの外包外側シートの展開図である。
【図１３】図１３は、外包外側シートの原料からの切り取り方を説明する図である。
【図１４】図１４は、本発明の第５の実施形態であるベルト付き母乳パッドの概略構造図である。
【図１５】図１５は、本発明の第６の実施形態であるベルト付き母乳パッドの概略構造図である。
【発明を実施するための形態】
【００１２】
以下、本発明の実施の形態について、図面を参照しながら詳細に説明する。
図１は、本発明の第１の実施形態である母乳パッド１の断面図である。図１では、母乳パッド１の未使用時、すなわち運搬・保管時の状態を示している。図１の左側がブラジャー等の下着に接する外側で、図１の右側が乳房に接する内側である。なお、図１では各部材の厚さを誇張して描いているので、母乳パッド１の厚さも実際よりも厚く描かれている。
【００１３】
母乳パッド１は、外側から、外包外側シート１１、内包シート３１、防水紙４０、吸水体５０、不織布４１、内包シート３１、外包内側シート２１を積層した構造となっている。
【００１４】
外包外側シート１１は、山折りの折り目１２と谷折りの折り目１３が交互に設けられ、ひだ状に折りたたまれている。外包内側シート２１も同様に、山折りの折り目２２と谷折りの折り目２３が交互に設けられ、ひだ状に折りたたまれている。
【００１５】
外包外側シート１１と外包内側シート２１は、外縁部１４、２４が接合されて外包１０を形成している。２枚の内包シート３１は、外縁部３２が接合されて内包３０を形成している。吸水体５０は、防水紙４０と不織布４１に挟み込まれた状態で内包３０の内部に収容され、内包３０は、外包１０に収容されている。
【００１６】
外包外側シート１１の上部には２本の取付テープ６１（図２参照）、６２が取り付けられている。また、外包外側シート１１の下部には取付テープ６３が取り付けられている。取付テープ６１、６２、６３は合成樹脂等からなる帯状の部材で、その一端が外包外側シート１１の外縁部１４に固定され、他端は自由となっている。
【００１７】
図２は、母乳パッド１の外面の形状図、図３は、母乳パッド１の内面の形状図である。
【００１８】
外包外側シート１１は、不透水性の材料からなり、折りたたんだ状態では円形のシート状の部材である。外包外側シート１１には、横方向に山折りの折り目１２と谷折りの折り目１３が交互に設けられ、ひだ状に折りたたまれている。山折りの折り目１２は、折りたたまれた状態の外包外側シート１１の高さを約５等分する位置に４箇所設けられている。谷折りの折り目１３は、最も上に位置するものを除く３箇所の山折りの折り目１２の僅かに上の位置に３箇所と外包外側シート１１の下端と最も下に位置する山折りの折り目１２との中間に１箇所の、合計４箇所に設けられている。山折りの折り目１２と谷折りの折り目１３とを近接させることにより外包外側シート１１の重なり数は最も多い場所でも３枚となり（図１参照）、母乳パッド１の厚さを小さくすることができる。
【００１９】
外包外側シート１１の素材としては、たとえばポリエステル樹脂やポリアミド樹脂等の合成樹脂を用いることができる。また、たとえば不織布に上述した合成樹脂によりラミネートしたものや、樹脂コーティング等により撥水処理を施した不織布等を用いることもできる。
【００２０】
外包外側シート１１の上部には、幅を約３等分する位置に上下方向に伸びる取付テープ６１、６２が設けられている。また、外包外側シート１１の下部には、幅方向の中央に上下方向に伸びる取付テープ６３が設けられている。取付テープ６１、６２、６３の外包外側シート１１から突出する突出部６４、６５、６６の外側の面には全長にわたって図示しない接着剤層や面ファスナーが設けられ、突出部６４、６５、６６の任意の位置で下着に固定できるようになっている。
【００２１】
外包内側シート２１は、透水性の材料からなり、外包外側シート１１と同型状の円形のシート状の部材である。外包内側シート２１には、横方向に山折りの折り目２２と谷折りの折り目２３が交互に設けられ、ひだ状に折りたたまれている。山折りの折り目２２と谷折りの折り目２３の配置は、上述の外包外側シート１１の場合と同様である。
【００２２】
外包内側シート２１の素材としては、透水性を有することに加えて肌触りの良いものが好ましく、たとえば、ポリエステル繊維等の合成樹脂繊維、レーヨン等の半合成繊維、木綿等の天然繊維、あるいは、これらの混合繊維からなる不織布等を用いることができる。
【００２３】
外包外側シート１１と外包内側シート２１は重ね合わされて、外縁部１４、２４で接合されて一体とされ、外包１０を構成している。接合は接着剤や熱圧着等により行い、外縁部１４、２４の全周にわたって接合してもよいし、一部を接合するようにしてもよい。外包１０の外包外側シート１１と外包内側シート２１の間の空間には、内包３０が収容され、さらに内包３０の内部には防水紙４０と不織布４１に挟まれた状態で吸水体５０が収容されている。外包１０、内包２０、防水紙４０、不織布４１、吸水体５０は中心がほぼ一致する位置関係に配置されている。
【００２４】
内包２０は、固定部２５で、たとえばのり付けすることにより外包１０の外包内側シート２１に固定されている。固定部２５の形状は、円形には限らず正方形等としてもよいが、内包シート３１の全体ではなく中央付近の狭い領域とするのがよい。防水紙４０と不織布４１と吸水体５０は、内包３０に対して固定されていない。
【００２５】
図４は、内包３０の形状を示す図である。内包シート３１は、折りたたんだ状態の外包外側シート１１よりも直径のやや小さい円形のシートである。内包シート３１の材質は、外包内側シート２１と同様の透水性の材料としてあり、吸水体５０に吸収された母乳の漏出防止効果を一層高めている。
【００２６】
２枚の内包シート３１が、外縁部３２で接合されて一体とされ内包３０を構成している。接合は接着剤や熱圧着等により行い、外縁部３２の全周にわたって接合してもよいし、一部を接合するようにしてもよい。内包シート３１の外縁部３２以外の部分は接合されておらず、内包３０の内部には、防水紙４０と不織布４１と吸水体５０を収容することができる。
【００２７】
図５は、防水紙４０と不織布４１の形状を示す図である。防水紙４０と不織布４１は、内包シート３１よりもやや直径が小さく、吸水体５０と直径がほぼ同一の略円形のシート状部材である。防水紙４０と不織布４１の外周部には、それぞれ、４個の略３角形の切り欠き４２が外周を約４等分する位置に設けられている。この切り欠きは、外周部に切れ目を入れて防水紙４０と不織布４１が椀状に変形しやすくすることができれば、形状、個数、位置が図５と異なっていてもよい。
【００２８】
防水紙４０は、吸水体５０と外包外側シート１１の間に介挿されて吸水体５０の外側の面を覆い、不織布４１とともに吸水体５０を包み込むようにして吸水体５０の全域で母乳の取り込みが行われるようにするとともに、やや硬い外包外側シート１１に対するクッション材として機能する。
【００２９】
不織布４１は、吸水特性が大きい外包内側シート２１と吸水特性がやや低い吸水体５０の間に介在して吸水体５０の内側の面を覆うことにより、外包内側シート２１から取り込んだ母乳を一時保水して吸水体５０に徐々に取り込ませる機能を発揮する。すなわち、不織布４１は、外包内側シート２１から母乳を素早く吸収することにより、外包内側シート２１が乾いた状態に維持されるようにするとともに、吸水体５０に効率よく拡散、保水されるようにする。
【００３０】
図６は、吸水体５０の形状を示す図である。吸水体５０は、内包シート３１よりもやや直径が小さい円盤状部材である。吸水体５０の厚みは、他の部材に比べて厚く、たとえば２ｍｍ程度である。吸水体５０の外周部には、４個の略３角形の切り欠き５１が外周を約４等分する位置に設けられている。切り欠きの形状、個数、位置が図６と異なっていてもよいのは、防水紙４０、不織布４１の場合と同様である。
【００３１】
吸水体５０の外周部には、シール部５２が設けられている。図６の例では、シール部５２は吸水体５０の外周部に全周にわたって防水紙４０と不織布４１を熱圧着することにより構成されている。
【００３２】
吸水体５０の材料としては、たとえば、高吸水性ポリマーと粉砕パルプの混合物を用いることができる。
【００３３】
図７は、母乳パッド１の使用時の形状を示す断面図である。母乳パッド１は、ブラジャー等の下着７０と乳房７１との間に挟み込まれて使用される。外包外側シート１１と外包内側シート２１は、ひだが伸びることにより図１の状態に比べて長くなり、母乳パッド１は全体として、乳房７１の形状に沿うように椀状に変形している。外包外側シート１１は、折り目１２、１３が開きひだがなくなって最大に伸びた状態となっている。外包内側シート２１は、折り目２２、２３が残ったまま、ひだ状に重なり合っている部分の長さが図１に比べて短くなり、全体の長さが図１に比べて長くなっている。図７では、外包外側シート１１の折り目が完全に広げられて高さＨが最大となった状態を示しているが、外包１０は図１の状態（Ｈが０の状態）と図７の状態の中間の状態に変形することもできるので、乳房７１の大きさに応じて適切に変形することができる。
【００３４】
内包３０、内包３０の内部の防水紙４０、不織布４１、吸水体５０も同様に椀状に変形し母乳パッド１は、全体として椀状に変形している。内包３０はその中央付近の固定部２５（図３参照）で外包１０に固定されているから、内包３０、防水紙４０、不織布４１、吸水体５０は、外包１０の中央からずれることなく椀状に変形することができる。
【００３５】
防水紙４０、不織布４１、吸水体５０は、中央部が図７の左方向に突出しつつ、外周の直径がやや小さくなるように変形する。このとき、防水紙４０、不織布４１、吸水体５０には、それぞれ切り欠き４２、４３、５１が設けられているので、外周部の切れ目が狭まることにより抵抗なくスムーズに変形することができる。
【００３６】
取付テープ６１、６２、６３は下着７０の外面に当接するように、突出部６４、６５、６６の任意の位置で折り曲げられ下着７０に固定される。使用者は、折り曲げる位置を変えることにより、取付テープ６１、６２、６３と下着７０の重なり長さＬを調整し、母乳パッド１の位置を図７の矢印Ａのように上下方向に簡単に調節することができる。なお、取付テープ６１、６２、６３を設ける代わりに、外包外側シート１１の外側の面の下着７０と当接する部分に、粘着テープ等の固定手段を設けて、この固定手段により母乳パッド１を下着７０に固定してもよい。
【００３７】
上記の説明で、外包１０、内包３０、防水紙４０、不織布４１、吸水体５０はすべて円形形状としたが、楕円形、長方形等の他の形状とすることもできる。また、これらの部材が概ね相似形である必要はなく、たとえば外包１０と内包３０は円形で吸水体５０は長方形とするなど、異なる形状を組み合わせてもよい。
【００３８】
また、内包３０、防水紙４０、不織布４１は必須ではなく、これらの一部または全部を省くことができる。
【００３９】
母乳パッド１の外包外側シート１１と外包内側シート２１は、ひだ状に折りたたまれているから、あらかじめ椀状の立体形状に形成された母乳パッドに比べて未使用時の厚さを薄くすることができる。そのため、立体的に形成された母乳パッドに比べて包装材料の量を削減することができる。また、立体的に形成された母乳パッドに比べ体積が小さくなるので、保管のためのスペースが少なくて済み、運搬費用も削減することができる。
【００４０】
また、母乳パッド１は、外包外側シート１１と外包内側シート２１の折り目１２、１３、２２、２３を広げることによって、乳房の大きさによらず乳房に沿って変形させることができる。言い換えると、乳房の大きさに応じて様々な大きさのものを製造する必要がない。また、立体的に加工する必要がないので、押し型等が不要で材料のロスも少なくなり製造コストを低減させることができる。さらに、使用時に椀状に変形させるためのゴム等の部材は必要なく、そのような部材が使用者の肌に当たることによる使用感の悪化がない。
【００４１】
下着に接する外包外側シート１１は不透水性の材料で形成され、使用者の肌に接する外包内側シートは透水性の不織布で形成されている。そのため、吸水体５０に吸収された母乳が外側に漏れ出すのを防止するとともに、使用者に心地よい使用感を与えることができる。
【００４２】
内包３０は、その中央付近に位置する固定部で外包１０の中央部に固定されている。そのため、外包外側シート１１と外包内側シート２１の折り目を広げて椀状に変形させたときに、内包３０とその内部に収容されている防水紙４０、不織布４１、吸水体５０が外包１０の中央部からずれることがない。
【００４３】
吸水体５０の外周部には、不透水性の材料からなるシール部５２が設けられている。そのため、吸水体５０に吸収された母乳がゲル状になって外周面から漏れ出すのを防止することができる。
【００４４】
母乳パッド１は、吸水体５０の外側の面を覆う防水紙４０と吸水体５０の内側の面を覆う不織布４１を備えている。そのため、吸水体５０に吸収された母乳がゲル状になって外側の面から漏れ出すのを防止することができる。
【００４５】
吸水体５０は、外包１０により母乳の漏出が防止されているのに加え、防水紙４０、不織布４１、シール部５２によって二重に漏出が防止されている。そのため、吸水体５０を小さくしても所要の吸水量を確保することができる。
【００４６】
防水紙４０、不織布４１、吸水体５０は、それぞれ外周部に切り欠き４２、４３、５１を備えている。そのため、使用時にスムーズに椀状に変形させることができる。
【００４７】
母乳パッド１は、下着７０と固定する位置を調節することができる取付テープ６１、６２を備えている。そのため、使用者は母乳パッド１の上下方向の位置を容易に調節することができる。
【００４８】
次に、本発明の第２の実施形態である母乳パッド２について説明する。母乳パッド２の基本的な構成は第１の実施形態の母乳パッド１と同様であるから、母乳パッド１と同一の構成要素には図１等と同一の符号を付して説明を省略する。
【００４９】
図８は、母乳パッド２の外面の形状を示す図である。内包を省いている点が図２の母乳パッド１と異なっている。すなわち、母乳パッド２は、外側から、外包外側シート１１、固定用シート２６、防水紙４０、吸水体５０、不織布４１、外包内側シート２１を積層した構造となっている。
【００５０】
固定用シート２６は、外包外側シート１１に比べて面積の小さい正方形形状のシート部材である。固定用シート２６は、たとえば両面に粘着層を設けた合成樹脂製のテープで構成され、防水紙４０を外包外側シート１１に固定する。固定用シート２６は外包外側シート１１及び防水紙４０と中心が一致するように配置し、１点で防水紙４０を外包外側シート１１に固定する。このようにすれば、内包を省いても使用時に母乳パッド２を椀状に広げた際に、吸水体５０を外包１０の中央に保持し乳頭の位置からずれないようにすることができる。
【００５１】
固定用シート２６の形状は、正方形以外の形状とすることもできる。たとえば、固定用シート２６の形状を帯状とし、線状に防水紙４０を外包外側シート１１に固定するようにしてもよい。また、固定用シート２６の配置位置は、防水紙４０の中央以外の位置としてもよい。
【００５２】
次に、本発明の第３の実施形態である母乳パッド３について説明する。母乳パッド３の基本的な構成は第１の実施形態の母乳パッド１と同様であるから、母乳パッド１と同一の構成要素には図１等と同一の符号を付して説明を省略する。
【００５３】
図９は、母乳パッド３の外面の形状図、図１０は、母乳パッド３の内面の形状図である。母乳パッド３は、母乳パッド１の構成要素に加えて、ワイヤー２７、折り目覆いシート２８、クッション材２９を備えている。
【００５４】
外包外側シート１１と外包内側シート２１の未使用時の形状と材質は母乳パッド１と同様であるが、折り目の位置と数が異なっている。外包外側シート１１には、使用時の状態で上から谷折りの折り目１３、山折りの折り目１２、山折りの折り目１２、谷折りの折り目１３の順で横方向に４つの折り目が設けられている。外包内側シート２１にも、使用時の状態で上から谷折りの折り目２３、山折りの折り目２２、山折りの折り目２２、谷折りの折り目２３の順で横方向に４つの折り目が設けられている。外包内側シート２１の２つの山折りの折り目２２は、使用時に乳頭に当接する外包内側シート２１の中心を挟んで対称な位置に３ｃｍ程度の間隔を空けて設けられている。言い換えると、外包内側シート２１の山折りの折り目２２、谷折りの折り目２３は使用時に乳頭に当接しない位置に設けられている。
【００５５】
吸水体５０を、防水紙４０と不織布４１で挟み込む構成は、母乳パッド１と同様であるが、これらの部材の形状は略正方形としてあり、正方形の各辺の中央付近に切り欠き５１、４２、４３を設けている。
【００５６】
外包１０の外包外側シート１１と外包内側シート２１とが接合されている外周部１４、２４の上部には、外包外側シート１１と外包内側シート２１の間にワイヤー２７（形状保持部材の一例）が配置されている。外包外側シート１１、外包内側シート２１よりも剛性の大きいワイヤー２７を配置することにより、使用時における椀状の形状を保持しやすくなっている。
【００５７】
外包内側シート２１の内側の上下方向の中央で左右方向の両端の２箇所には、たとえば不織布からなる折り目覆いシート２８が設けられている。折り目覆いシート２８は、少なくとも２つの山折りの折り目２２の端部を覆い、この端部が乳房に接触しないようにする。折り目覆いシート２８を配置することにより、山折りの折り目２２の端部の角が乳房に当たって使用者に不快感を与えることを防止することができる。
【００５８】
外包内側シート２１の内側の上下方向の中央で左右方向の両端の箇所には、４つの折り目２２、２３、２３、２２を跨ぐようにクッション材２９が設けられている。クッション材２９は、外包内側シート２１と乳房の間に生じがちな隙間をふさぐための部材で、たとえば合成樹脂製のスポンジ状の材料で構成される。図９、図１０では外側から外包内側シート２１、折り目覆いシート２８、クッション材２９の順で重ねているが、折り目覆いシート２８とクッション材２９の順は逆としてもよい。
【００５９】
図９、図１０ではワイヤー２７、折り目覆いシート２８、クッション材２９をすべて備える構成を示したが、これらの部材のいずれかひとつ又は任意のふたつを備える構成とすることもできる。
【００６０】
次に、本発明の第４の実施形態である母乳パッド４について説明する。母乳パッド４の基本的な構成は第１の実施形態の母乳パッド１と同様であるから、母乳パッド１と同一の構成要素には図１等と同一の符号を付して説明を省略する。
【００６１】
図１１は、母乳パッド４の外面の形状図である。母乳パッド４は、母乳パッド１と同様の積層構造となっているが、未使用時の外形を上辺の幅に比べて下辺の幅が広い台形としてある。外包外側シート８１には、中心線ＣＬに対してやや傾斜した方向に４本の山折りの折り目８２と４本の谷折りの折り目８３が設けられている。使用時には、図１１の矢印Ｂのように左右方向に折り目を広げて装着する。吸収体５０は、左右方向には外包外側シート８１と中心が一致するように、上下方向には外包外側シート８１の中心よりもやや下に配置されている。また、外包外側シート８１の上部には１本の取付テープ８６が、下部には２本の取り付けテープ８７、８８が設けられている。
【００６２】
図１２は、図１１の外包外側シート８１の展開図である。図１２では、山折りの折り目８２となる位置を実線で、谷折りの折り目８３となる位置を破線で示している。折り目の間隔は、上から下に向かって徐々に大きくし折り目８２、８３が放射状に配置されるようにしている。外包外側シート８１の上底８４の長さに対する下底８５の長さの比は、下底の方が長い範囲で任意であるが、この比を大きくし頂点が上にある二等辺三角形に近い形状とすることが好ましい。母乳は重力にしたがって上から下に向かって流れるので、外包を下が広い台形形状とすることによって、漏れを効果的に防止することができる。
【００６３】
図１３は、外包外側シート８１の材料からの切り取り方の一例を示す図である。長い帯状の材料シート７２から、図１２の形と図１２の形を１８０度回転させた形を交互に切り取って複数の外包外側シート８１を作成している。このようにすれば、無駄になる部分９０は材料シート７２の両端に僅かに生じるだけで材料のロスをほぼゼロとすることができる。
【００６４】
図１１から図１３では、外包外側シート８１について説明したが、外包内側シートについても同様である。内包を設ける場合は、その形状は外包と相似の形状としてもよいし、円形等の外包とは異なる形状としてもよい。吸水体の形状も図１１に示した長方形以外の形状としてもよい。
【００６５】
次に、本発明の第５の実施形態であるベルト付き母乳パッド１００について説明する。図１４はベルト付き母乳パッド１００の概略構造図である。ベルト付き母乳パッド１００は、２個の母乳パッドにベルト等を取り付けてブラジャーのような形状にしたものであり、第１の母乳パッド１ａ、第２の母乳パッド１ｂ、接続ベルト１０１、ベルト１０３、第１のストラップ１０５ａ、第２のストラップ１０５ｂを備えている。
【００６６】
第１の母乳パッド１ａと第２の母乳パッド１ｂは、通常のブラジャーではカップに相当する位置に配置され使用者の乳房を覆う。第１の母乳パッド１ａ、第２の母乳パッド１ｂの構成は、図１等に示した母乳パッド１と同様の構成であり、ひだ状に折りたたまれた外包外側シートとひだ状に折りたたまれた外包内側シートの外縁部を接合して形成された外包と、外包の内部に収容された吸水体とを備えている。図１４の例では、外包内側シートは不織布で構成されている。なお、第１の母乳パッド１ａ及び第２の母乳パッド１ｂとしては、母乳パッド２（図８）、母乳パッド３（図９、１０）、母乳パッド４（図１１−１３）を用いてもよい。
【００６７】
接続ベルト１０１は、紐状あるいは帯状の部材であり、その一端が第１の母乳パッド１ａに、その他端が第２の母乳パッド１ｂにそれぞれ着脱自在に取り付けられ、第１の母乳パッド１ａと第２の母乳パッド１ｂとを接続する。図１４の例では、接続ベルト１０１の一端に設けられた面ファスナー１０２ａが第１の母乳パッド１ａの外包内側シートの使用者の体の中心側の端部に、接続ベルト１０１の他端に設けられた面ファスナー１０２ｂが第２の母乳パッド１ｂ外内包内側シートの使用者の体の中心側の端部に、それぞれ取り付けられる。
【００６８】
ベルト１０３は、使用者の胸に巻き回される紐状あるいは帯状の部材であり、その一端が第１の母乳パッド１ａに、その他端が第２の母乳パッド１ｂにそれぞれ着脱自在に取り付けられる。図１４の例では、ベルト１０３の一端に設けられた面ファスナー１０４ａが第１の母乳パッド１ａの外包内側シートの使用者の体の外側の端部に、ベルト１０３の他端に設けられた面ファスナー１０４ｂが第２の母乳パッド１ｂの外包内側シートの使用者の体の外側の端部に、それぞれ取り付けられる。
【００６９】
第１のストラップ１０５ａ及び第２のストラップ１０５ｂは、使用者の肩に掛けられ第１の母乳パッド１ａ、第２の母乳パッド１ｂ、ベルト１０３をつり下げる紐状あるいは帯状の部材である。第１のストラップ１０５ａの一端は第１の母乳パッド１ａの上部に着脱自在に取り付けられ、他端は第１の母乳パッド１ａの背後の位置でベルト１０３に固定される。第２のストラップ１０５ｂの一端は第２の母乳パッド１ｂの上部に着脱自在に取り付けられ、他端は第２の母乳パッド１ｂの背後の位置でベルト１０３に固定される。図１４の例では、第１のストラップ１０５ａの一端に設けられた面ファスナー１０６ａが第１の母乳パッド１ａの外包内側シートに、第２のストラップ１０５ｂの一端に設けられた面ファスナー１０６ｂが第２の母乳パッド１ｂの外包内側シートに、それぞれ取り付けられる。
【００７０】
外包内側シートは、不織布で構成されているので表面に凹凸があり、外包内側シートには面ファスナーを設けなくても、面ファスナー１０２ａ、１０２ｂ、１０４ａ、１０４ｂ、１０６ａ、１０６ｂを止めることができる。面ファスナー１０２ａ、１０２ｂ、１０４ａ、１０４ｂ、１０６ａ、１０６ｂを外包外側シートに止める場合や、外包内側シートを表面が平滑な材料で構成する場合には、たとえば、外包にも面ファスナー１０２ａ、１０２ｂ、１０４ａ、１０４ｂ、１０６ａ、１０６ｂと係合させるための面ファスナーを設ける。
【００７１】
接続ベルト１０１、ベルト１０３、第１のストラップ１０５ａ、第２のストラップ１０５ｂの材質は、布、不織布、合成樹脂等の可撓性のあるものとする。
【００７２】
利用者は、ベルト１０３、第１のストラップ１０５ａ、第２のストラップ１０５ｂが第１の母乳パッド１ａ、第２の母乳パッド１ｂに取り付けられた状態のベルト付き母乳パッド１００に、腕と頭を通してから接続ベルト１０１を第１の母乳パッド１ａと第２の母乳パッド１ｂに取り付けて、ベルト付き母乳パッド１００を装着する。
【００７３】
ベルト付き母乳パッド１００は、第１の母乳パッド１ａ、第２の母乳パッド１ｂ、接続ベルト１０１、ベルト１０３、第１のストラップ１０５ａ、第２のストラップ１０５ｂを備え、ブラジャーのような形状に構成されている。そのため、使用者は、ブラジャー等の下着を介することなくベルト付き母乳パッド１００を装着することができる。
【００７４】
接続ベルト１０１、ベルト１０３、第１のストラップ１０５ａ、第２のストラップ１０５ｂは第１の母乳パッド１ａ、第２の母乳パッド１ｂに着脱自在に取り付けられている。そのため、使用者は容易に接続ベルト１０１、ベルト１０３、第１のストラップ１０５ａ、第２のストラップ１０５ｂを取り外し、第１の母乳パッド１ａと第２の母乳パッド１ｂとを下着と乳房の間に挟んで使用することもできる。
【００７５】
次に、本発明の第６の実施形態であるベルト付き母乳パッド１１０について説明する。
図１５はベルト付き母乳パッドの概略構造図である。ベルト付き母乳パッド１１０は、２個の母乳パッドにベルト等を取り付けてブラジャーのような形状にしたものであり、第１の母乳パッド１ａ、第２の母乳パッド１ｂ、接続ベルト１１１、第１のベルト１１３ａ、第２のベルト１１３ｂを備えている。
【００７６】
第１の母乳パッド１ａと第２の母乳パッド１ｂは、通常のブラジャーではカップに相当する位置に配置され使用者の乳房を覆う。第１の母乳パッド１ａ、第２の母乳パッド１ｂの構成は、図１等に示した母乳パッド１と同様の構成であり、ひだ状に折りたたまれた外包外側シートとひだ状に折りたたまれた外包内側シートの外縁部を接合して形成された外包と、外包の内部に収容された吸水体とを備えている。なお、第１の母乳パッド１ａ及び第２の母乳パッド１ｂとしては、母乳パッド２（図８）、母乳パッド３（図９、１０）、母乳パッド４（図１１−１３）を用いてもよい。
【００７７】
接続ベルト１１１は、紐状あるいは帯状の部材であり、その一端１１２ａが第１の母乳パッド１ａに、その他端１１２ｂが第２の母乳パッド１ｂにそれぞれ固定され、第１の母乳パッド１ａと第２の母乳パッド１ｂとを接続する。
【００７８】
第１のベルト１１３ａは、紐状あるいは帯状の部材であり、その一端１１４ａが第１の母乳パッド１ａに固定され、その他端には接続部１１５ａが設けられている。第２のベルト１１３ｂは、紐状あるいは帯状の部材であり、その一端１１４ｂが第２の母乳パッド１ｂに固定され、その他端には接続部１１５ｂが設けられている。接続部１１５ａと接続部１１５ｂは、面ファスナー、粘着テープ等により互いに着脱可能に接続することができるように構成される。接続部１１５ａと接続部１１５ｂとが接続されることにより、第１のベルト１１３ａと第２のベルト１１３ｂとが使用者の胸部に巻き回される。
【００７９】
接続ベルト１１１、第１のベルト１１３ａ、第２のベルト１１３ｂの材質は、布、不織布、合成樹脂等の可撓性のあるものとする。
【００８０】
使用者は第１の母乳パッド１ａと第２の母乳パッド１ｂを乳房に当てた状態で第１のベルト１１３ａと第２のベルト１１３ｂを胸から背中に回し、背中の位置で接続部１１５ａと接続部１１５ｂを接続してベルト付き母乳パッド１１０を装着する。
【００８１】
ベルト付き母乳パッド１１０は、２個の母乳パッド１、接続ベルト１１１、第1のベルト１１３ａ、第２のベルト１１３ｂを備え、ブラジャーのような形状に構成されている。そのため、使用者は、ブラジャー等の下着を介することなくベルト付き母乳パッド１１０を装着することができる。
【００８２】
上記の第１から第６の各実施形態は、技術的に矛盾の生じない限りにおいて、任意に組み合わせて実施することができる。
【符号の説明】
【００８３】
１、２、３、４  母乳パッド
１０  外包
１１、８１  外包外側シート
２１  外包内側シート
２７  ワイヤー（形状保持部材）
２８  折り目覆いシート
２９  クッション材
３０  内包
３１  内包シート
４０  防水紙
４１  不織布
４２  切り欠き
５０  吸水体
５１  切り欠き
５２  シール部
６１、６２、６３、８６、８７、８８  取付テープ
１００、１１０  ベルト付き母乳パッド
１０１、１１１  接続ベルト
１０２ａ、１０２ｂ、１０４ａ、１０４ｂ、１０６ａ、１０６ｂ  面ファスナー
１０３  ベルト
１０５ａ  第１のストラップ
１０５ｂ  第２のストラップ
１１３ａ  第１のベルト
１１３ｂ  第２のベルト
１１５  係止部
【図１】
0005965523.tif 000002
【図２】
0005965523.tif 000003
【図３】
0005965523.tif 000004
【図４】
0005965523.tif 000005
【図５】
0005965523.tif 000006
【図６】
0005965523.tif 000007
【図７】
0005965523.tif 000008
【図８】
0005965523.tif 000009
【図９】
0005965523.tif 000010
【図１０】
0005965523.tif 000011
【図１１】
0005965523.tif 000012
【図１２】
0005965523.tif 000013
【図１３】
0005965523.tif 000014
【図１４】
0005965523.tif 000015
【図１５】
0005965523.tif 000016